(57)【特許請求の範囲】
【請求項１】
ポリオキシエチレングリセリン脂肪酸エステル、メチルフェニルポリシロキサンを含有し、イミダゾリニウムベタイン系、アミドベタイン系又はベタイン系両性界面活性剤を含まない、ことを特徴とする化粧用スポンジの洗浄料。
【請求項２】
更に、多価アルコールを含有することを特徴とする請求項１記載の化粧用スポンジの洗浄料。
【発明の詳細な説明】
【０００１】
【発明が属する技術分野】
本発明は化粧用スポンジの洗浄料に関する。更に詳しくは、化粧用スポンジに付着した汚れに対する洗浄効果が良好で、洗浄剤の後残りがなく、系の安定性に優れ、繰り返し洗浄してもスポンジの柔軟性維持に優れた化粧用スポンジの洗浄料に関する。
【０００２】
【従来の技術および発明が解決しようとする課題】
通常、ファンデーションを塗付する際に、化粧用スポンジが用いられている。また、近年では、化粧行動の多様化により、ファンデーションのみならず、使用感や仕上がり感が良好なことからアイメークやチークなどのポイントメイク、さらには、塗付した化粧品のふきとり用具として用いられている。この化粧用スポンジは繰り返し使用されるものであるため、化粧品中の油分や皮脂が付着、蓄積し、化粧品の肌へのつきやのびが悪化したり、顔や手あるいは空中の常在菌が付着し繁殖する可能性があり、引き続き清潔な状態で使用するためはたびたび洗浄することが望ましい。洗浄には一般に石鹸や家庭用液体洗剤が使用されるが、特に油性ファンデーションで汚れた化粧用スポンジは顔料が詰まり、汚れが落ちにくく、乾燥後はスポンジの表面がゴワゴワし、肌触りが悪くなるといわれている。また、すでに上市されている化粧用具洗浄関連製剤は、特に汗や水に強いファンデーションやエマルジョン・パクト等のファンデーションの洗浄力が弱く、十分な洗浄効果を上げることが困難である。また、洗浄を数回繰り返すと洗浄料の後残りなどにより、化粧用スポンジを収縮、固化させる現象も認められている。これに対し、特定の界面活性剤が洗浄力に優れることは特公平５−２２７６０号公報や特公平４−７５９６０号公報に開示されているが、年々、汗や水で落ちにくいファンデーションが開発され、これらでは洗浄力が不十分であり、また、洗浄料の後残り等によるスポンジの柔軟性維持の点でもさらなる改良が望まれていた。
【０００３】
【課題を解決するための手段】
本発明者は前記技術的課題を達成すべく鋭意研究を重ねた結果、ポリオキシエチレン脂肪酸エステルを含有させることにより、安定性が良好で、従来の各種洗浄料や中性洗剤に比べて、スポンジに付着したファンデーションに対し優れた洗浄効果を示し、かつ、すすぎが良好で、繰り返し洗浄してもスポンジの収縮・固化をいった劣化が少なく、柔軟性を維持できることを見出し、この知見に基づいて本発明を完成するに至った。
【０００４】
本発明は、
１． ポリオキシエチレングリセリン脂肪酸エステル、メチルフェニルポリシロキサンを含有し、イミダゾリニウムベタイン系、アミドベタイン系又はベタイン系両性界面活性剤を含まない、ことを特徴とする化粧用スポンジの洗浄料、
２．  更に、多価アルコールを含有することを特徴とする前記１の化粧用スポンジの洗浄料、
に関する。
【０００５】
【発明の実施の形態】
本発明に用いられるポリオキシエチレン脂肪酸エステルとしては、ポリオキシエチレン多価アルコール脂肪酸エステルが好ましく、より具体的には、ポリオキシエチレングリセリン脂肪酸エステル、ポリオキシエチレンソルビタン脂肪酸エステル、ポリオキシエチレンソルビトール脂肪酸エステル、ポリオキシエチレンメチルグルコシド脂肪酸エステル、ポリエチレングリコール脂肪酸エステル、ポリオキシエチレンショ糖脂肪酸エステル等が挙げられる。このような脂肪酸エステルは、脂肪種として、ラウリン酸を多く含有し、詳細にはラウリン酸を３０％以上含有している。本発明においては、これらのポリオキシエチレン脂肪酸エステル、好ましくは、ポリオキシエチレン多価アルコール脂肪酸エステルの中から任意の一種又は二種以上を用いるが、特に好ましいのは、ポリオキシエチレングリセリン脂肪酸エステルである。ポリオキシエチレン脂肪酸エステルの配合量は、洗浄料中、５．０〜８０．０重量％であり、好ましくは２０．０〜７０．０重量％である。
【０００６】
油剤としては流動パラフィン、イソパラフィン、ワセリン、パラフィンワックス等の鉱物系炭化水素類、スクワレン、スクワラン、プリスタン等の動物系炭化水素類、オリーブ油、コメヌカ油等の油脂類、ホホバ油等のロウ類、ミリスチン酸イソプロピル、パルミチン酸イソプロピル、オレイン酸オレイル等のエステル類、ジメチルポリシロキサン、メチルフェニルポリシロキサン、メチルハイドロジェンポリシロキサン、デカメチルシクロペンタシロキサン、ドデカメチルシクロヘキサンシロキサン等のシリコーン油類、パーフルオロポリエーテル、三フッ素塩化エチレン共重合体等のフッ素オイル類等が挙げられ、これらの中から任意の一種又は二種以上が用いられる。油剤の配合量は、洗浄料中の０．１〜５０．０重量％であり、好ましくは１．０〜３０．０重量％である。
【０００７】
多価アルコールとしては、例えばエチレングリコール、プロピレングリコール、イソプレングリコール、ジプロピレングリコール、１，３−ブチレングリコール、ジエチレングリコール、グリセリン、ジグリセリン、ソルビトール、ポリオキシエチレンメチルグルコシド、ペンタエリスリトール等が挙げられ、これらの中から任意の一種又は二種以上が用いられる。この中でも特にプロピレングリコール、ジプロピレングリコール、１，３−ブチレングリコールが好ましい。多価アルコールの配合量は、洗浄料中の０．１〜５０．０重量％であり、好ましくは１．０〜３０．０重量％である。
【０００８】
本発明の化粧料スポンジの洗浄料には、上記の必須成分に加えて、必要に応じて、他の界面活性剤、水溶性高分子や水膨潤性粘度鉱物等の増粘剤、アミノ酸や糖類等の保湿剤、パラオキシ安息香酸エステル、サリチル酸、ソルビン酸、ヒノキチオール等の殺菌・防腐剤、ＥＤＴＡ、ヘキサメタリン酸ナトリウム等の金属キレート剤、ＤＬ−α−トコフェノール、ジブチルヒドロキシトルエン等の酸化防止剤、クエン酸、クエン酸ナトリウム、リン酸、リン酸二水素カリウム等のｐＨ調整剤、生薬やハーブ等の植物抽出液類、天然香料（精油を含む）やその他の合成香料、法定色素及び天然色素等の着色料、ラウリルジメチル−β−アラニンナトリウム、塩化ステアリルトリメチルアンモニウムクロリド、３級アミン、４級アンモニウム塩、シリコーン類、アミノ変性シリコーン等の柔軟性付与剤などが配合される。
【０００９】
化粧用スポンジの洗浄料は、通常この分野において採用されている製造方法によって製造することができ、例えば、ポリオキシエチレン脂肪酸エステルと油剤を混合溶解し、それに多価アルコールを配合して混合溶解した後、精製水の所定量を配合することにより製造することができる。
【００１０】
【実施例】
次に実施例により本発明を更に詳細にするが、本発明はこれらの実施例に限定されるものではない。配合量は重量％である。
【００１１】
実施例１〜３、比較例１、２
表１に記載の処方により化粧用スポンジの洗浄料を製造した。比較対照として、同じく表１に記載の処方により比較例１、２の洗浄料を製造した。
これらの実施例、比較例について、以下の評価方法を行い、その結果を表１に示している。
【００１２】
（１）経時安定性
実施例１〜３、比較例１、２の各洗浄料を、５０℃、２５℃、０℃で３ヶ月保存し、分離、沈殿、白濁等がないかを目視で観察し安定性試験を行った。評価は以下の基準により行った。
◎ ：安定性良好。沈殿、分離、白濁が見られない。
○ ：安定性やや不安定。沈殿、分離は見られない。０℃で若干白濁が見られる。
【００１３】
（２）洗浄力
一定量のファンデーションを化粧用スポンジに塗布して１５分放置後、実施例１〜３、比較例１、２の各洗浄料を塗布して洗い流し、ファンデーションの汚れ落ちを目視にて観察する試験を行った。評価は、以下の基準により目視で行った。
◎ ：汚れが落ちたもの。
○ ：汚れが多少残ったもの（２度洗いできれいに落ちる）。
×：汚れがかなり残ったもの。
【００１４】
（３）洗い流し性
一定量のファンデーションを化粧用スポンジに塗布して１５分放置後、実施例１〜３、比較例１、２の各洗浄料を塗布して洗い流した後、化粧用スポンジのべたつき感の確認試験を行った。評価は、以下の基準により行った。
◎ ：べたつき感がない。
○ ：ところどころべたつき感がある。
△ ：多少べたつき感がある。
×：べたつき感がある。
【００１５】
（４）スポンジの柔軟性
一定量のファンデーションを化粧用スポンジに塗布して１５分放置後、実施例１〜３、比較例１、２の各洗浄料を塗布して洗い流した後、化粧用スポンジの柔軟性試験を行った。評価は、以下の基準により行った。
◎ ：非常に柔らかい。
○ ：柔らかい。
△ ：多少ごわつく。
×：ごわつく。
【００１６】
【表１】
0004540195.tif 000002
【００１７】
表１より明らかなように、本発明の実施例の洗浄料は比較例のものよりも経時安定性、洗浄力、洗い流し性に優れ、かつ、化粧料スポンジの柔軟性維持に優れていた。
【００１８】
【発明の効果】
以上説明したように、本発明による化粧料スポンジの洗浄料は、化粧用スポンジに付着したファンデーション等の汚れに対する洗浄力、系の安定性に優れ、繰り返し洗浄しても洗浄料の後残りがなく、スポンジの柔軟性維持に優れた化粧用スポンジの洗浄料である。